(57)【要約】      （修正有）【課題】使用勝手が良好な掛け布団カバーを提供する。  【解決手段】掛け布団カバーＫは、掛け布団１を出し入れする開口部１１を表側に有する掛け布団本体１０と、開口部１１を覆うと共に、開口部１１を開閉する扉１２ａ、１２ｂと、この扉１２を開閉する開閉手段１３とを備えているものである。【選択図】図６
0003141699.tif 000002
【実用新案登録請求の範囲】
【請求項１】
掛け布団を出し入れする開口部を表側に有する掛け布団本体と、
前記開口部を覆うと共に、前記開口部を開閉する扉と、
この扉を開閉する開閉手段と、
を備えていることを特徴とする掛け布団カバー。
【請求項２】
掛け布団を出し入れする開口部を表側に有する掛け布団本体と、
前記開口部を開閉する扉と、
この扉を開閉する開閉手段と、
を備えていることを特徴とする掛け布団カバー。
【請求項３】
扉は、平面視、長方形であり、
この長方形の一方の長辺を掛け布団本体に取り付け、
前記長方形の他方の長辺と前記長方形の他方の長辺に対応する前記掛け布団本体の部位である前記掛け布団本体の接合部に開閉手段を設けて、前記長方形の他方の長辺と前記掛け布団本体とが分離可能に構成されている
ことを特徴とする請求項１記載の掛け布団カバー。
【請求項４】
扉の長方形の一方の長辺に対応する掛け布団本体の取り付け部位は、掛け布団本体の一方の接合部であり、
この掛け布団本体の一方の接合部と前記長方形の一方の長辺に第２の開閉手段を設けて、前記長方形の一方の長辺と前記掛け布団本体とが分離可能に構成されている
ことを特徴とする請求項３記載の掛け布団カバー。
【請求項５】
扉は、平面視、左右に開閉する観音扉であり、
この観音扉は、左扉と右扉を有し、
前記左扉と前記右扉の接合部に開閉手段を設けて、前記左扉と前記右扉とが分離可能に構成されている
ことを特徴とする請求項１又は２記載の掛け布団カバー。
【請求項６】
開閉手段は、ファスナー、面状ファスナー、ボタンとボタン孔、ボタンとボタン掛けループ紐、または、雄側スナップボタンと雌側スナップボタンのいずれかである
ことを特徴とする請求項１、２、３、４、５のいずれかに記載の掛け布団カバー。
【請求項７】
開閉手段は、直線状のファスナーであり、
扉は、前記直線状のファスナーにより、前記直線状のファスナーの一方側の端部の接合部を残して、開かれるものである
ことを特徴とする請求項１又は２記載の掛け布団カバー。
【考案の詳細な説明】
【技術分野】
【０００１】
本考案は、掛け布団カバーに係り、特に、使用勝手が良好な掛け布団カバーに関する。
【背景技術】
【０００２】
従来、表側に掛け布団を出し入れする開口部を有する掛け布団カバーがある。この掛け布団カバーにあっては、前記開口部を介して掛け布団を出し入れするため、掛け布団の出し入れに支障はない。
【０００３】
しかしながら、掛け布団の出し入れが容易な分、掛け布団を掛け布団カバーに内在して使用すると、時として、就寝中、掛け布団が上記開口部を介して飛び出したり、飛び出さなくても、掛け布団が掛け布団カバー内を移動して使用勝手が良好でないという問題点が生じた。
【考案の開示】
【考案が解決しようとする課題】
【０００４】
本考案は、前記した問題点を除去するようにした掛け布団カバーを提供することを目的としている。
【課題を解決するための手段】
【０００５】
前記した目的を達成するための本考案の掛け布団カバーは、掛け布団を出し入れする開口部を表側に有する掛け布団本体と、前記開口部を覆うと共に、前記開口部を開閉する扉と、この扉を開閉する開閉手段とを備えているものである。
【０００６】
また、請求項２記載の掛け布団カバーは、掛け布団を出し入れする開口部を表側に有する掛け布団本体と、前記開口部を開閉する扉と、この扉を開閉する開閉手段とを備えているものである。
【０００７】
また、請求項３記載の掛け布団カバーは、請求項１記載の掛け布団カバーにおいて、扉は、平面視、長方形であり、この長方形の一方の長辺を掛け布団本体に取り付け、前記長方形の他方の長辺と前記長方形の他方の長辺に対応する前記掛け布団本体の部位である前記掛け布団本体の接合部に開閉手段を設けて、前記長方形の他方の長辺と前記掛け布団本体とが分離可能に構成されているものである。
【０００８】
また、請求項４記載の掛け布団カバーは、請求項３記載の掛け布団カバーにおいて、扉の長方形の一方の長辺に対応する掛け布団本体の取り付け部位は、掛け布団本体の一方の接合部であり、この掛け布団本体の一方の接合部と前記長方形の一方の長辺に第２の開閉手段を設けて、前記長方形の一方の長辺と前記掛け布団本体とが分離可能に構成されているものである。
【０００９】
また、請求項５記載の掛け布団カバーは、請求項１又は２記載の掛け布団カバーにおいて、扉は、平面視、左右に開閉する観音扉であり、この観音扉は、左扉と右扉を有し、前記左扉と前記右扉の接合部に開閉手段を設けて、前記左扉と前記右扉とが分離可能に構成されているものである。
【００１０】
また、請求項６記載の掛け布団カバーは、請求項１、２、３、４、５のいずれかに記載の掛け布団カバーにおいて、開閉手段は、ファスナー、面状ファスナー、ボタンとボタン孔、ボタンとボタン掛けループ紐、または、雄側スナップボタンと雌側スナップボタンのいずれかである。
【００１１】
また、請求項７記載の掛け布団カバーは、請求項１又は２記載の掛け布団カバーにおいて、開閉手段は、直線状のファスナーであり、扉は、前記直線状のファスナーにより、前記直線状のファスナーの一方側の端部の接合部を残して、開かれるものである。
【考案の効果】
【００１２】
請求項１記載の掛け布団 カバーによれば、開口部を覆う扉を開いて前記開口部を介して掛け布団を掛け布団本体の内部に入れたり、また、掛け布団本体の外部に出すことができるため、掛け布団の出し入れが容易であり、しかも、掛け布団を掛け布団本体の内部に入れた状態で扉により開口部を覆うため、掛け布団本体の内部から掛け布団が飛び出すのを防ぐと共に、掛け布団本体の内部の掛け布団の動きをも規制して、掛け布団本体の内部の掛け布団を整然とした収納状態を保持することができる。
【００１３】
また、請求項２記載の掛け布団 カバーによれば、扉を開いて開口部を介して掛け布団を掛け布団本体の内部に入れたり、また、掛け布団本体の外部に出すことができるため、掛け布団の出し入れが容易であり、しかも、掛け布団を掛け布団本体の内部に入れた状態で扉により開口部を閉じるため、掛け布団本体の内部から掛け布団が飛び出すのを防ぐと共に、掛け布団本体の内部の掛け布団の動きをも規制して、掛け布団本体の内部の掛け布団を整然とした収納状態を保持することができる。
【００１４】
また、請求項５記載の掛け布団 カバーによれば、上述した請求項１又は２記載の考案の効果に加え、扉は、平面視、左右に開閉する観音扉であるため、上述した請求項３又は４記載の扉に比較し、大きく広げない分、観音扉の開閉作業の点で使用勝手が良好である。
【考案を実施するための最良の形態】
【００１５】
本考案の一実施例である掛け布団カバーを図面を参照して説明する。
図１〜図９において、Ｋは掛け布団カバーで、掛け布団カバーＫは、掛け布団１を出し入れする開口部１１（図６参照）を表側に有する掛け布団本体１０と、開口部１１を覆うと共に、開口部１１を開閉する扉１２と、この扉１２を開閉する開閉手段１３とを備えている。
【００１６】
この掛け布団カバーＫにあっては、図６乃至図９に示すように、開口部１１を覆う扉１２（具体的には、後述する左扉１２ａと右扉１２ｂ）を開いて開口部１１を介して掛け布団１を掛け布団本体１０の内部に入れたり、また、逆に、掛け布団本体１０の外部に出すことができるため、掛け布団１の出し入れが容易となる。
しかも、図９に示すように、掛け布団１を掛け布団本体１０の内部に入れた状態で扉１２（左扉１２ａと右扉１２ｂ）により開口部１１を覆うことにより、掛け布団本体１０の内部から掛け布団１が飛び出すのを防ぐと共に、掛け布団本体１０の内部の掛け布団１の動きをも規制することができ、掛け布団本体１０の内部の掛け布団１を整然とした収納状態を保持することができる。
【００１７】
また、上記の扉１２は、図１に示すように、平面視、左右に開閉する観音扉であり、この観音扉は、左扉１２ａと右扉１２ｂを有し、左扉１２ａと右扉１２ｂの接合部に開閉手段１３を設けて、左扉１２ａと右扉１２ｂとが分離可能に構成されている。
観音扉とすることにより、扉１２を大きく広げない分、観音扉の開閉作業の点で使用勝手が良好となる。
また、扉１２の広がりを更に規制するために、左扉１２ａと掛け布団本体１０とは、図１に図示の部位１０ａ、１０ｄで、右扉１２ｂと掛け布団本体１０とは、図１に図示の部位１０ｂ、１０ｃで、それぞれ縫製されている。
【００１８】
開閉手段１３は、ファスナー、面状ファスナー、ボタンとボタン孔、ボタンとボタン掛けループ紐、または、雄側スナップボタンと雌側スナップボタンのいずれかでも良いが、本実施例の開閉手段１３は、ファスナーである。
【００１９】
なお、上述の実施例の開口部１１の縁部は、図１で言えば、破線で示され、開口部１１の上部破線においては、中央が高く、左右の端部に向かって下がる傾斜部となり、また、開口部１１の下部破線においては、中央が低く、左右の端部に向かって上がる傾斜部となっているが、本願考案にあっては、これに限らず、図１０乃至図１４に示すような、一般に市販されている掛け布団カバーＫの開口部１１にも同様に適用できるものである。開口部１１は、平面視、長方形のコーナー部を弧状に形成したものである。
この図１０乃至図１４記載の扉１２にあっては、左扉１２ａと右扉１２ｂを開口部１１の縁部の近傍に縫製（縫製された部位を図１０に符号１０ｅ、１０ｆで示す。）により取り付けたものであり、上述した図１乃至図９記載の実施例の掛け布団カバーＫと同様な効果を有する。
なお、図１０乃至図１４記載の実施例にあっては、上述した図１乃至図９記載の実施例と同一部分に同一符号を付してその説明を省略している。
【００２０】
また、上述した実施例（図１乃至図１４）の扉１２を観音扉（左扉１２ａと右扉１２ｂ）としたが、本願考案にあっては、これに限らず、図１５乃至図２１に示すように扉１２を一方側、又は、図２２乃至図２６に示すように扉１２を一方側、又は、他方側にも開閉できるようにすることができる。
【００２１】
即ち、扉１２は、平面視、長方形であり（図１５及び図２０参照）、この長方形の一方の長辺１２ｆ（図１５）を掛け布団本体１０に取り付け、長方形の他方の長辺１２ｇ（図２０）と長方形の他方の長辺１２ｇに対応する掛け布団本体１０の部位である掛け布団本体１０の接合部１０ｇに開閉手段１３を設けて、長方形の他方の長辺１２ｆと掛け布団本体１０とが分離可能に構成することができる。なお、図１５乃至図２１記載の実施例にあっては、上述した図１乃至図９記載の実施例と同一部分に同一符号を付してその説明を省略している。
【００２２】
また、図２２乃至図２６に示す扉１２にあっては、扉１２を両側に開閉できるように、上述した「長方形の一方の長辺１２ｆを掛け布団本体１０に取り付け、長方形の他方の長辺１２ｇと掛け布団本体１０の接合部１０ｇに開閉手段１３を設けて、長方形の他方の長辺１２ｇと掛け布団本体１０とが分離可能な構成」に加え、扉１２の長方形の一方の長辺１２ｆに対応する掛け布団本体１０の取り付け部位は、掛け布団本体１０の一方の接合部であり、この掛け布団本体１０の一方の接合部と長方形の一方の長辺１２ｆに第２の開閉手段１３’を設けて、長方形の一方の長辺１２ｆと掛け布団本体１０とが分離可能に構成することもできる。
第２の開閉手段１３’は、開閉手段１３と同様に，ファスナー、面状ファスナー、ボタンとボタン孔、ボタンとボタン掛けループ紐、または、雄側スナップボタンと雌側スナップボタンのいずれかでも良く、本実施例では、ファスナーを示している。なお、図２２乃至図２６記載の実施例にあっては、上述した図１乃至図９記載の実施例と同一部分に同一符号を付してその説明を省略している。
【００２３】
また、上述の図１乃至図２６記載の扉１２ａ、１２ｂは、開口部１１を覆うように形成したが、本願考案にあっては、これに限らず、図２７乃至図３４に示すように、扉１２ａ、１２ｂで開口部１１を開閉するようにしても良い。
図２７乃至図３４記載の実施例の扉１２ａ、１２ｂは、上述の実施例（図１乃至図２６）と異なり、扉１２ａ、１２ｂが閉じている状態にあっては、扉１２ａ、１２ｂは、掛け布団本体１０の内部に位置し、それに伴い、扉１２ａ、１２ｂの直線状の接続部の両端部Ａ、Ｂも、掛け布団本体１０の内部に位置している。
なお、図２７乃至図３４記載の実施例にあっては、上述した図１乃至図９記載の実施例と同一部分に同一符号を付してその説明を省略している。
【００２４】
また、図１乃至図３４に示す扉１２にあっては、左扉１２ａと右扉１２ｂとが分離可能に構成したが、本願考案にあっては、これに限らず、図３５及び図３６記載の実施例に示すように、開閉手段１３が直線状のファスナーである場合、扉１２は、直線状のファスナー１３により、直線状のファスナー１３の一方側の端部の接合部Ｂ（１３Ｂ）を残して、開かれるようにしても良い。
直線状のファスナー１３の一方側の端部の接合部Ｂ（１３Ｂ）を残しても、掛け布団１を開口部１１を介して、掛け布団本体１０の内部に位置させることができる。
なお、図３５及び図３６記載の実施例にあっては、上述した図２７乃至図３４記載記載の実施例と同一部分に同一符号を付してその説明を省略している。
【００２５】
また、図３５及び図３６記載の実施例にあっては、扉１２は、直線状のファスナー１３により、直線状のファスナー１３の一方側の端部の接合部１３Ｂ（Ｂ)を残して、開かれるようにしたが、図３７乃至図４０記載の実施例に示すようなファスナー１３の両端何れからも開閉できるものにあっては、直線状のファスナー１３の接合部の中央より一方側（又は他方側）に近い位置に接合部１３Ｃ（図３９参照）を残しても、掛け布団１を開口部１１を介して、掛け布団本体１０の内部に位置させることができる。なお、図３７乃至図４０記載の実施例にあっては、上述した図２７乃至図３４記載記載の実施例と同一部分に同一符号を付してその説明を省略する。
【図面の簡単な説明】
【００２６】
【図１】図１は、本考案の一実施例の掛け布団カバーの概略的平面図である。
【図２】図２は、図１の２−２線による概略的断面図である。
【図３】図３は、図１の３−３線による概略的断面図である。
【図４】図４は、図１の４−４線による概略的断面図である。
【図５】図５は、図１の５−５線による概略的断面図である。
【図６】図６は、図１の掛け布団カバーの扉を開いて掛け布団を入れる前の状態を示す概略的斜視図である。
【図７】図７は、図７（ａ）（ｂ）（ｃ）は図６の掛け布団が掛け布団カバーの内部へ収納される過程を示す概略的断面図である。
【図８】図８は、図７の掛け布団が掛け布団カバーの内部へ収納された後、扉が閉められる前の状態の概略的斜視図である。
【図９】図９は、図８の扉が閉められた状態の概略的斜視図である。
【図１０】図１０は、図１の掛け布団カバーと異なる他の実施例の概略的平面図である。
【図１１】図１１は、図１０の１１−１１線による概略的断面図である。
【図１２】図１２は、図１０の１２−１２線による概略的断面図である。
【図１３】図１３は、図１０の掛け布団カバーの扉を開いて掛け布団を入れる前の状態を示す概略的斜視図である。
【図１４】図１４は、図１３の扉が閉められた状態の概略的斜視図である。
【図１５】図１５は、図１０の掛け布団カバーと異なる他の実施例の概略的平面図である。
【図１６】図１６は、図１５の１６−１６線による概略的断面図である。
【図１７】図１７は、図１５の１７−１７線による概略的断面図である。
【図１８】図１８は、図１５の１８−１８線による概略的断面図である。
【図１９】図１９は、図１５の１９−１９線による概略的断面図である。
【図２０】図２０は、図１５の掛け布団カバーの扉を開いて掛け布団を入れる前の状態を示す概略的斜視図である。
【図２１】図２１は、図２０の扉が閉められた状態の概略的斜視図である。
【図２２】図２２は、図１５の掛け布団カバーと異なる他の実施例の概略的平面図である。
【図２３】図２３は、図２２の２３−２３線による概略的断面図である。
【図２４】図２４は、図２２の２４−２４線による概略的断面図である。
【図２５】図２５は、図２２の掛け布団カバーの扉を開いて掛け布団を入れる前の状態を示す概略的斜視図である。
【図２６】図２６は、図２５の扉が閉められた状態の概略的斜視図である。
【図２７】図２７は、図２２の掛け布団カバーと異なる他の実施例の概略的平面図である。
【図２８】図２８は、図２７の２８−２８線による概略的断面図である。
【図２９】図２９は、図２７の２９−２９線による概略的断面図である。
【図３０】図３０は、図２７の３０−３０線による概略的断面図である。
【図３１】図３１は、図２７の３１−３１線による概略的断面図である。
【図３２】図３２は、図２７の３２−３２線による概略的断面図である。
【図３３】図３３は、図２７の掛け布団カバーの扉を開いて掛け布団を入れる前の状態を示す概略的斜視図である。
【図３４】図３４は、図３３の扉が閉められた状態の概略的斜視図である。
【図３５】図３５は、図２７の掛け布団カバーと異なる他の実施例の掛け布団カバーの扉を開いて掛け布団を入れる前の状態を示す概略的斜視図である。
【図３６】図３６は、図３５の扉が閉められた状態の概略的斜視図である。
【図３７】図３７は、図３３の掛け布団カバーと異なる他の実施例の掛け布団カバーの概略的平面図である。
【図３８】図３８は、図３７の掛け布団カバーの扉の開閉状態の途中を示す掛け布団カバーの概略的平面図である。
【図３９】図３９は、図３７の掛け布団カバーの扉を開いて掛け布団を入れる前の状態を示す概略的斜視図である。
【図４０】図４０は、図３９の扉が閉められた状態の概略的斜視図である。
【符号の説明】
【００２７】
Ｋ  …掛け布団カバー
１  …掛け布団
１０…掛け布団本体
１１…開口部
１２…扉
１３…開閉手段
【図１】
0003141699.tif 000003
【図２】
0003141699.tif 000004
【図３】
0003141699.tif 000005
【図４】
0003141699.tif 000006
【図５】
0003141699.tif 000007
【図６】
0003141699.tif 000008
【図７】
0003141699.tif 000009
【図８】
0003141699.tif 000010
【図９】
0003141699.tif 000011
【図１０】
0003141699.tif 000012
【図１１】
0003141699.tif 000013
【図１２】
0003141699.tif 000014
【図１３】
0003141699.tif 000015
【図１４】
0003141699.tif 000016
【図１５】
0003141699.tif 000017
【図１６】
0003141699.tif 000018
【図１７】
0003141699.tif 000019
【図１８】
0003141699.tif 000020
【図１９】
0003141699.tif 000021
【図２０】
0003141699.tif 000022
【図２１】
0003141699.tif 000023
【図２２】
0003141699.tif 000024
【図２３】
0003141699.tif 000025
【図２４】
0003141699.tif 000026
【図２５】
0003141699.tif 000027
【図２６】
0003141699.tif 000028
【図２７】
0003141699.tif 000029
【図２８】
0003141699.tif 000030
【図２９】
0003141699.tif 000031
【図３０】
0003141699.tif 000032
【図３１】
0003141699.tif 000033
【図３２】
0003141699.tif 000034
【図３３】
0003141699.tif 000035
【図３４】
0003141699.tif 000036
【図３５】
0003141699.tif 000037
【図３６】
0003141699.tif 000038
【図３７】
0003141699.tif 000039
【図３８】
0003141699.tif 000040
【図３９】
0003141699.tif 000041
【図４０】
0003141699.tif 000042